(57)【特許請求の範囲】
【請求項１】
ケーシングと、
前記ケーシングの内部に配設されている冷却ファンと、
前記ケーシングの内部に配設されているロースタと、
一端が前記ケーシングの外部に露出している吸気口を形成し、他端が前記冷却ファンに連通している吸気ダクトと、
一端が前記ケーシングの外部に露出している排気口を形成し、他端が前記ロースタに連通している排気ダクトと、
前記ケーシングの外部から、前記吸気口と前記排気口を覆う吸排気カバーを有し、
その吸排気カバーは、前記吸気口に対応する開口と、前記排気口に対応する開口と、両者の開口を分離するとともにそれぞれの開口を取り囲む板部を有しており、
前記吸気口に対応する前記開口を取り囲む前記板部は、前記吸気ダクトの吸気側端縁に近接または接触していることを特徴とする加熱調理器。
【請求項２】
ケーシングと、
前記ケーシングの内部に配設されている冷却ファンと、
前記ケーシングの内部に配設されているロースタと、
一端が前記ケーシングの外部に露出している吸気口を形成し、他端が前記冷却ファンに連通している吸気ダクトと、
一端が前記ケーシングの外部に露出している排気口を形成し、他端が前記ロースタに連通している排気ダクトと、
前記ケーシングの外部から、前記吸気口と前記排気口を覆う吸排気カバーを有し、
その吸排気カバーは、前記吸気口に対応する開口と、前記排気口に対応する開口と、両者の開口を分離するとともにそれぞれの開口を取り囲む板部を有しており、
前記排気口に対応する前記開口を取り囲む前記板部は、前記排気ダクトの排気側端縁に近接または接触していることを特徴とする加熱調理器。
【発明の詳細な説明】
【０００１】
【発明の属する技術分野】
本発明は、加熱調理器に関する。特に、ケーシングの外部に連通する吸気口と排気口を備えた加熱調理器に好適な技術に関する。
【０００２】
【従来の技術】
従来の加熱調理器の一例を図４を用いて説明する。図４は、従来の加熱調理器の概略斜視図である。図４に示す加熱調理器１２０は、ケーシング１６６と、このケーシング１６６の内部に配設された冷却ファン１３４と、前記ケーシング１６６の外部に連通する吸気口１４２と、この吸気口１４２と前記冷却ファン１３４とを連通させる吸気ダクト１４０と、前記ケーシング１６６の内部に配設されたロースタ１７０と、前記ケーシング１６６の外部に連通する排気口１７６と、この排気口１７６と前記ロースタ１７０とを連通させる排気ダクト１７２と、前記吸気口１４２と前記排気口１７６に対応する開口１８０ｂを設けた板部１８０ａを有する吸排気カバー１８０とを備えている。また、ケーシング１６６の内部であって、冷却ファン１３４の下流側には、制御基板１７４が設けられている。
【０００３】
冷却ファン１３４が回転すると、ケーシング１６６の外部の空気が吸気口１４２から吸入される。この吸入された空気は、吸気ダクト１４０を通じて冷却ファン１３４の上流側から吸気される。この吸気された空気は、冷却ファン１３４の下流側へ吹き出される。この冷却ファン１３４の下流側へ吹き出された空気によって、制御基板１７４等が冷却される。
【０００４】
【発明が解決しようとする課題】
図４に示す従来の加熱調理器１２０は、ケーシング１６６の設置スペース、調理スペースの確保等のため、排気口１７６が吸気口１４２の近辺に設けられている。しかしながら、排気口１７６が吸気口１４２の近辺に設けられていると、排気口１７６と連通した排気ダクト１７２に接続されたロースタ１７０からの排気が吸排気カバー１８０の内部でショートサーキットして吸気口１４２に回り込んでしまうという問題が生じる。
このロースタ１７０からの排気が吸気口１４２に回り込むと、ロースタ１７０からの排気は外部の空気に比べ高温となっているため、冷却ファン１３４の下流側へ吹き出された空気による制御基板１７４等の冷却能力が減少してしまう。
また、ロースタ１７０からの排気が吸気口１４２に回り込むと、ロースタ１７０からの排気は、外部の空気に比べ、魚等を焼くことで生じる塵や埃等を多く含んでいるため、これらの塵や埃等が制御基板１７４等に付着して故障を招く可能性が高くなってしまう。
【０００５】
本発明は、ロースタからの排気が、ケーシングの外部の空気を吸気する吸気口に回り込まないようにする加熱調理器を提供することを目的とする。
【０００６】
【課題を解決するための手段および作用と効果】
本発明に係る加熱調理器は、ケーシングと、前記ケーシングの内部に配設されている冷却ファンと、前記ケーシングの内部に配設されているロースタと、一端が前記ケーシングの外部に露出している吸気口を形成するとともに他端が前記冷却ファンに連通している吸気ダクトと、一端が前記ケーシングの外部に露出している排気口を形成するとともに他端が前記ロースタに連通している排気ダクトと、前記ケーシングの外部から前記吸気口と前記排気口を覆う吸排気カバーを有している。
本発明の一つの加熱調理器は、その吸排気カバーが、前記吸気口に対応する開口と、前記排気口に対応する開口と、両者の開口を分離するとともにそれぞれの開口を取り囲む板部を有しており、前記吸気口に対応する前記開口を取り囲む前記板部は、前記吸気ダクトの吸気側端縁に近接または接触していることを特徴とする。
本発明の他の加熱調理器は、その吸排気カバーが、前記吸気口に対応する開口と、前記排気口に対応する開口と、両者の開口を分離するとともにそれぞれの開口を取り囲む板部を有しており、前記排気口に対応する前記開口を取り囲む前記板部は、前記排気ダクトの吸気側端縁に近接または接触していることを特徴とする。
ここで、前記吸排気カバーの前記板部に「近接」させたとは、前記吸気ダクトの吸気側端縁および／または前記排気ダクトの排気側端縁と、前記吸排気カバーの前記板部との間隔が３ｍｍ以内の場合をいう。
本発明の一つの加熱調理器によれば、前記吸気口を形成する前記吸気ダクトの吸気側端縁を、前記吸排気カバーの前記板部に近接または接触させているため、ロースタからの排気が吸排気カバーの内部でショートサーキットして吸気口に回り込んでしまうことを防止できる。
本発明の他の加熱調理器によれば、前記排気口を形成する前記排気ダクトの排気側端縁を、前記吸排気カバーの前記板部に近接または接触させているため、ロースタからの排気が吸排気カバーの内部でショートサーキットして吸気口に回り込んでしまうことを防止できる。
上記したいづれの加熱調理器によっても、吸気口からは、ロースタからの排気が吸気されず、ロースタからの排気よりも低温で、塵や埃等の量も少ない空気が吸排気カバーの外部から吸気されるため、冷却ファンによる制御基板等の冷却能力の低下、制御基板等の故障を防止することができる。
【０００７】
【実施例】
本発明の実施例に係る加熱調理器の構成を図１および図２を用いて説明する。図１は、本発明の実施例に係る加熱調理器の概略縦断面図である。図２は、本発明の実施例に係る加熱調理器の概略斜視図である。
図１に示す加熱調理器２０は、キッチンカウンタ２２ａ、２２ｂの間に設けられた開口２３に落とし込まれて設置されるケーシング６６を備えている。
ケーシング６６の正面（図１においては左側）には、熱量の設定操作等を行う操作部８１が設けられている。この操作部８１の下方には冷却後の空気をケーシング６６の外部へ排出させる排気口８５が設けられている。ケーシング６６の後方には、図２に示すように、ケーシング６６の外部の空気を吸気する吸気口４２と、ロースタ７０からの排気を排出する排気口７６が設けられている。この吸気口４２と排気口７６を覆うように、吸排気カバー８０が設けられている。この吸排気カバー８０は、吸気口４２と排気口７６に対応する開口８０ｂを設けた板部８０ａによって構成されている。
ケーシング６６の上方には、図１に示すように、耐熱性セラミックを含むトッププレート３０が載置されている。
ケーシング６６の中間部には、図１に示すように、誘導加熱コイル２６、この誘導加熱コイル２６等を制御する多くの電子部品（例えば、温度検知用センサ等）を備えた制御基板７４、この制御基板７４に発生した熱を放熱させる放熱フィン３２、誘導加熱コイル２６および制御基板７４等に冷却風を送る冷却ファン３４、この冷却ファン３４を駆動するファンモータ３４ａ、吸気ダクト４０等が備えられている。この吸気ダクト４０は、図２に示すように、一端が制御基板７４側に位置し、中間に冷却ファン３４が位置し、他端が吸気口４２と連通している。
ケーシング６６の下方には、ロースタ７０が備えられている。このロースタ７０の内部には、図１に示すように、加熱ヒータ７８が備えられている。また、このロースタ７０は、排気ダクト７２の一端と接続されている。この排気ダクト７２の他端は、図２に示すように、ケーシング６６の後方に設けられた排気口７６と連通している。
【０００８】
次に、本実施例に係る加熱調理器２０の動作を図１および図２を用いて説明する。図１に示す操作部８１を操作すると、誘導加熱コイル２６が作動する。この誘導加熱コイル２６が作動すると、ファンモータ３４ａが通電する。このファンモータ３４ａが通電すると、冷却ファン３４が回転する。この冷却ファン３４が回転すると、ケーシング６６の外部の空気が吸気口４２から吸入される。この吸入された空気は、吸気ダクト４０を通じて冷却ファン３４の上流側から吸気される。この吸気された空気は、冷却ファン３４の下流側へ吹き出される。この冷却ファン３４の下流側へ吹き出された空気によって、制御基板７４、誘導加熱コイル２６およびロースタ７０からの輻射熱等が冷却される。冷却後の空気は、操作部８１の裏面に設けられた排気口８５からケーシング６６の外部に排出される。この排気口８５からの空気の排出は、冷却ファン３４の作用によるものであり、いわゆる強制排気によって行われる。
【０００９】
また、図１に示す操作部８１を操作すると、ロースタ７０の加熱ヒータ７８が作動する。この加熱ヒータ７８が作動すると、上記で説明した誘導加熱コイル２６が作動した場合と同様に、冷却ファン３４が回転する。この冷却ファン３４の作用によって、冷却ファン３４の上流側から吸気された空気は、冷却ファン３４の下流側へ吹き出される。即ち、冷却ファン３４は、誘導加熱コイル２６が使用された場合だけでなく、ロースタ７０のみが使用された場合でも回転駆動する。また、ロースタ７０の加熱ヒータ７８を作動させてロースタ７０内で魚等の調理物を加熱すると、煙が発生する。この煙は、排気ダクト７２を通って図２に示す排気口７６から上方へ排出される。この排気口７６からの空気の排出は、ファンの作用によるものではなく、いわゆる自然排気によって行われる。
【００１０】
このように、排気口７６からの排気はいわゆる自然排気によるものであり、緩やかな流れで排気されるため、この排気が吸排気カバー８０の内部でショートサーキットして吸気口４２の方へ回り込みやすくなっている。
しかしながら、本実施例に係る加熱調理器２０によれば、図２および図３に示すように、吸気口４２を形成する吸気ダクト４０の吸気側端縁４０ａを、吸排気カバー８０の板部８０ａに接触させているため、ロースタ７０からの比較的高温で塵や埃等を含んだ排気は、吸気側端縁４０ａと板部８０ａによって吸気口４２に回り込むことが遮断されている。このため、吸排気カバー８０の内部でロースタ７０からの排気が吸気口４２に回り込んで吸気されてしまう、いわゆる吸排気のショートサーキットやリーク現象を防止することができる。
従って、吸気口４２からは、ロースタ７０からの排気は吸気されず、このロースタ７０からの排気よりも低温で、塵や埃等の量も少ない吸排気カバー８０の外部の空気が吸気される。よって、冷却ファン３４による制御基板７４、誘導加熱コイル２６およびロースタ７０からの輻射熱等の冷却能力の低下を防止することができる。また、制御基板７４、誘導加熱コイル２６およびロースタ７０等に塵や埃が付着することで生じるこれらの故障を防止することができる。
【００１１】
以上、本発明の実施例に係る加熱調理器について説明したが、本発明は上記の実施例になんら限定されるものではなく、本発明は当業者の知識に基づいて種々の変更、改良を施した形態で実施することができる。
例えば、上記の実施例では、吸気口４２を形成する吸気ダクト４０の吸気側端縁４０ａを、吸排気カバー８０の板部８０ａに接触させた場合について説明したが、本発明は上記の実施例の場合に限定されることはない。即ち、図２または図３に示す吸気口４２を形成する吸気ダクト４０の吸気側端縁４０ａを、吸排気カバー８０の板部８０ａに近接させた場合にも本発明の適用がある。このように、吸気側端縁４０ａを吸排気カバー８０の板部８０ａに接触させずに近接させた場合でも、ロースタ７０からの排気がケーシング６６の外部の空気を吸気する吸気口４２に回り込むことを防止するという本発明の効果を奏することができる。また、排気口７６を形成する排気ダクト７２の排気側端縁を、吸排気カバー８０の板部８０ａに近接または接触させた場合にも本発明の適用がある。さらに、吸気口４２を形成する吸気ダクト４０の吸気側端縁４０ａと排気口７６を形成する排気ダクト７２の排気側端縁の両方を、吸排気カバー８０の板部８０ａに近接または接触させた場合にも本発明の適用があるのは、特許請求の範囲の記載から明らかである。
また、上記の実施例では、図２に示すように、吸気口４２と排気口７６をケーシング６６の後方に設けているが、吸気口４２と排気口７６の位置は、ケーシング６６の前方であってもよいし、側方であってもよいし、その他の位置であってもよい。
【図面の簡単な説明】
【図１】本発明の実施例に係る加熱調理器の概略縦断面図。
【図２】本発明の実施例に係る加熱調理器の概略斜視図。
【図３】本発明の実施例に係る加熱調理器のトッププレートの平面図。
【図４】従来の技術に係る加熱調理器の概略斜視図。
【符号の説明】
加熱調理器：２０
誘導加熱コイル：２６
冷却ファン：３４
吸気ダクト：４０
吸気口：４２
吸気側端縁：４０ａ
ケーシング：６６
ロースタ：７０
排気ダクト：７２
制御基板：７４
排気口：７６
加熱ヒータ：７８
吸排気カバー：８０
【図１】
0003756382.tif 000002
【図２】
0003756382.tif 000003
【図３】
0003756382.tif 000004
【図４】
0003756382.tif 000005